(57)【要約】【課題】利得を切替可能なアンプの利得切替に際してのインピーダンスの変動を低減させ、かつ、インピーダンス整合における消費電力を低減させる。【解決手段】制御部１１０は、パワーアンプ１５０の利得とＴＸＡＧＣアンプ１３１の設定とに基づいて、整合回路１４０および１６０のインピーダンスを制御する。これにより、制御部１１０は、パワーアンプ１５０の利得毎に限らずＴＸＡＧＣアンプ１３１からの信号レベルに応じてより細やかな制御を行うことができる。特に、制御部１１０は、パワーアンプ１５０の利得切替に際してのインピーダンスの変動を低減させ、かつ、インピーダンス整合における消費電力を低減させることができる。【選択図】図１
2013258476.tif 000002
【特許請求の範囲】
【請求項１】
利得を可変なアンプと、
要求される出力レベルに応じて利得を切り替えるパワーアンプと、
前記パワーアンプのインピーダンス整合を行う整合回路と、
前記パワーアンプの利得と前記利得を可変なアンプの設定とに基づいて前記整合回路のインピーダンスを制御する制御部と、
を具備することを特徴とする無線装置。
【請求項２】
前記制御部は、前記パワーアンプが利得を切り替える出力レベルから所定レベル以上離れた場合に、前記インピーダンス整合を停止するよう前記整合回路を制御することを特徴とする請求項１に記載の無線装置。
【請求項３】
前記制御部は、前記パワーアンプの利得が変更されると、前記整合回路のインピーダンスの制御を再度行うことを特徴とする請求項１または請求項２に記載の無線装置。
【請求項４】
前記パワーアンプの利得および前記利得を可変なアンプの設定と、前記パワーアンプの当該利得での出力レベルの範囲内における現在の出力レベルの位置を示すポイントとを対応付けた情報を記憶する記憶部を具備し、
前記制御部は、前記情報に基づいて、前記整合回路のインピーダンスを制御することを特徴とする請求項１から３のいずれか一項に記載の無線装置。
【請求項５】
利得を可変なアンプの出力を増幅させるパワーアンプの利得と、前記利得を可変なアンプの設定とに基づいて、前記パワーアンプのインピーダンス整合を行う整合回路のインピーダンスを制御することを特徴とするインピーダンス制御装置。
【請求項６】
利得を可変なアンプと、
要求される出力レベルに応じて利得を切り替えるパワーアンプと、
前記パワーアンプのインピーダンス整合を行う整合回路と、
を具備する無線装置のインピーダンス制御方法であって、
前記パワーアンプの利得と前記利得を可変なアンプの設定とに基づいて前記整合回路のインピーダンスを制御する制御ステップを具備することを特徴とするインピーダンス制御方法。
【請求項７】
利得を可変なアンプと、
要求される出力レベルに応じて利得を切り替えるパワーアンプと、
前記パワーアンプのインピーダンス整合を行う整合回路と、
を具備する無線装置のインピーダンスを制御するコンピュータに、
前記パワーアンプの利得と前記利得を可変なアンプの設定とに基づいて前記整合回路のインピーダンスを制御する制御ステップを実行させるためのプログラム。
【発明の詳細な説明】
【技術分野】
【０００１】
本発明は、無線装置、インピーダンス制御装置、インピーダンス制御方法およびプログラムに関する。
【背景技術】
【０００２】
携帯電話機の送信信号を増幅する際、送信出力レベルに応じてアンプの利得を切り替える技術が知られている。具体的には、基地局からの電力制御信号に対して携帯電話機の送信出力レベルを変更するパワーアンプが、利得の異なる複数のアンプを含んで構成されている。そして、電力制御信号にて要求される送信出力レベルが一定範囲を超えると、異なる利得のアンプに切り替えて送信信号を増幅する。
【０００３】
ここで、アンプの利得を切り替えることで、アンプの入力インピーダンスや出力インピーダンスが利得毎に変動する。この入力インピーダンスや出力インピーダンスの変動が送信出力レベルに影響することで、送信出力レベルの制御に悪影響が生じるおそれがある。具体的には、利得切替時の送信出力レベルの変動により、基地局からの電力制御信号の指令値に対して携帯電話機の送信出力レベルが大幅に変動する箇所（いわば不連続箇所）が生じることが考えられる。かかる箇所が生じることで、基地局が携帯電話機からの信号レベルに応じて電力制御信号を生成し送信するフィードバック制御が収束しなくなるおそれがある。
【０００４】
これに対し、特許文献１に記載の受信回路は、整合回路と、２段階のゲインの切り替えが可能なＬＮＡ（Low Noise Amplifier）と、連続的なゲインの切り替えが可能なプログラマブルゲインアンプと、アンプの出力信号が規定されたレベルになるようにアンプのゲインを設定し、受信電界強度が閾値以下のときはＬＮＡをＨｉｇｈゲインで動作させ、受信電界強度が閾値を超えるときはＬｏｗゲインで動作させるゲイン制御部と、Ｌｏｗゲインで動作しているときのＬＮＡの入力インピーダンスが、Ｈｉｇｈゲインで動作しているときのＬＮＡの入力インピーダンスに一致するように、整合回路の整合定数を切り替える整合回路制御部とを備える。
送信回路においても、アンプの利得（ゲイン）切替に合わせて整合回路の整合定数を切り替えて、利得切替に際してのインピーダンスの変動を低減させ、送信出力レベルの変動を低減させることが考えられる。
【先行技術文献】
【特許文献】
【０００５】
【特許文献１】特開２０１０−８７９５４号公報
【発明の概要】
【発明が解決しようとする課題】
【０００６】
アンプの利得切替に際してのインピーダンスの変動を低減させる際、インピーダンス整合における消費電力を低減させることができれば、電力の有効活用を図ることができる。例えば、携帯電話機における消費電力を低減させることができれば、当該携帯電話機の電池切れを遅らせて使用可能時間をより長くすることができる。
【０００７】
本発明は、上述の課題を解決することのできる無線装置、インピーダンス制御装置、インピーダンス制御方法およびプログラムを提供することを目的としている。
【課題を解決するための手段】
【０００８】
この発明は上述した課題を解決するためになされたもので、本発明の一態様による無線装置は、利得を可変なアンプと、要求される出力レベルに応じて利得を切り替えるパワーアンプと、前記パワーアンプのインピーダンス整合を行う整合回路と、前記パワーアンプの利得と前記利得を可変なアンプの設定とに基づいて前記整合回路のインピーダンスを制御する制御部と、を具備することを特徴とする。
【０００９】
また、本発明の一態様によるインピーダンス制御装置は、利得を可変なアンプの出力を増幅させるパワーアンプの利得と、前記利得を可変なアンプの設定とに基づいて、前記パワーアンプのインピーダンス整合を行う整合回路のインピーダンスを制御することを特徴とする。
【００１０】
また、本発明の一態様によるインピーダンス制御方法は、利得を可変なアンプと、要求される出力レベルに応じて利得を切り替えるパワーアンプと、前記パワーアンプのインピーダンス整合を行う整合回路と、を具備する無線装置のインピーダンス制御方法であって、前記パワーアンプの利得と前記利得を可変なアンプの設定とに基づいて前記整合回路のインピーダンスを制御する制御ステップを具備することを特徴とする。
【００１１】
また、本発明の一態様によるプログラムは、利得を可変なアンプと、要求される出力レベルに応じて利得を切り替えるパワーアンプと、前記パワーアンプのインピーダンス整合を行う整合回路と、を具備する無線装置のインピーダンスを制御するコンピュータに、前記パワーアンプの利得と前記利得を可変なアンプの設定とに基づいて前記整合回路のインピーダンスを制御する制御ステップを実行させるためのプログラムである。
【発明の効果】
【００１２】
本発明によれば、アンプの利得切替に際してのインピーダンスの変動を低減させ、かつ、インピーダンス整合における消費電力を低減させることができる。
【図面の簡単な説明】
【００１３】
【図１】本発明の一実施形態における無線装置の機能構成を示す概略ブロック図である。
【図２】同実施形態における、基地局装置からの電力制御信号と、無線装置の送信出力レベルとの関係を示す説明図である。
【図３】同実施形態における整合回路の回路構成を示す概略構成図である。
【図４】同実施形態における記憶部が記憶するポイント対応情報の例を示す説明図である。
【図５】同実施形態における整合回路が行うインピーダンス整合の例を示すスミスチャートである。
【図６】同実施形態における記憶部が記憶する対応回路情報の例を示す説明図である。
【図７】同実施形態において、無線装置がインピーダンス整合を行う処理の手順を示すフローチャートである。
【図８】同実施形態の無線装置における本発明の最小構成を示す概略構成図である。
【発明を実施するための形態】
【００１４】
以下、図面を参照して、本発明の実施の形態について説明する。図１は、本発明の一実施形態における無線装置の機能構成を示す概略ブロック図である。同図において、無線装置１００は、制御部１１０と、記憶部１２０と、送信部１３０と、整合回路１４０および１６０と、パワーアンプ（Power Amplifier）１５０とを具備する。送信部１３０は、ＴＸＡＧＣアンプ（送信用のAutomatic Gain Control Amplifier）１３１とを具備する。
【００１５】
無線装置１００は、例えば、Ｗ−ＣＤＭＡ（Wideband Code Division Multiple Access）方式にて通信を行う携帯電話機の無線部として用いられ、基地局装置からの電力制御信号（Transmit Power Control；ＴＰＣ）に応じた送信出力レベル（送信電力）にて無線送信を行う。
送信部１３０は、デジタル信号にて与えられる送信信号の変調および増幅を行う。
ＴＸＡＧＣアンプ１３１は、利得の可変なアンプであり、搬送波周波数に変換された送信信号を、無線装置１００が設定した利得にて増幅する。
【００１６】
パワーアンプ１５０は、送信部１３０からの送信信号を増幅する。その際、パワーアンプ１５０は、基地局装置からの電力制御信号にて要求される出力レベルに応じて利得を切り替える。
図２は、基地局装置からの電力制御信号と、無線装置１００の送信出力レベルとの関係を示す説明図である。ここで、パワーアンプ１５０は、利得低（「ＬＯＷ」ないし「Ｌ」と表記する）、中（「ＭＩＤないし「Ｍ」と表記する」、高（「ＨＩＧＨ」ないし「Ｈ」と表記する）の３つのアンプを具備している。そして、パワーアンプ１５０は、これらのアンプを切り替えて用いることで、パワーアンプ１５０自らの利得を低、中、高の３段階で切り替えて、送信信号の増幅を行う。図２の線Ｌ１１、Ｌ１２、Ｌ１３は、それぞれ、パワーアンプ１５０が利得低、中、高にて信号の増幅を行う際の、電力制御信号と送信出力レベルとの関係を示す。
【００１７】
なお、図２のＰｏｉｎｔ＿Ｌ１〜Ｐｏｉｎｔ＿Ｈ３の各々は、図４および図５を参照して後述するポイントを示している。
なお、本発明の適用範囲は、パワーアンプ１５０の利得切替レベルが３つの場合に限らない。パワーアンプ１５０の利得切替レベルは２つであってもよいし、４つ以上であってもよい。
【００１８】
整合回路１４０および１６０は、パワーアンプ１５０のインピーダンス整合を行う。
ここで、パワーアンプ１５０がアンプを切り替える際に当該パワーアンプ１５０のインピーダンスが変動する。このインピーダンスの変動が無線装置１００の送信出力レベルを低下させると図２に示すような電力制御信号と送信出力レベルとの連続性を得られなくなる。すなわち、電力制御信号の要求する送信出力レベルに対し、無線装置１００の送信出力レベルが大幅に変動してしまう箇所が生じる。そうすると、基地局装置が無線装置１００の送信出力レベルのフィードバック制御を行う際に、当該フィードバック制御が収束しなくなるおそれがある。
【００１９】
そこで、整合回路１４０は、パワーアンプ１５０が利得を切り替える際にパワーアンプ１５０の入力インピーダンスの整合を取り、特に、パワーアンプ１５０が利得を切り替える送信出力レベル付近での入力インピーダンスの変動を低減させる。また、整合回路１６０は、パワーアンプ１５０が利得を切り替える際にパワーアンプ１５０の出力インピーダンスの整合を取り、特に、パワーアンプ１５０が利得を切り替える送信出力レベル付近での出力インピーダンスの変動を低減させる。これにより、無線装置１００は、電力制御信号と送信出力レベルとの連続性を得ることができる。すなわち、電力制御信号の要求する送信出力レベルに対する無線装置１００の送信出力レベルの変動を低減させることができる。
【００２０】
図３は、整合回路１４０の回路構成を示す概略構成図である。同図において、整合回路１４０は、インピーダンスの異なる回路ｃ１〜ｃｎ（ｎは正整数）を具備する。整合回路１４０は、制御部１１０からの整合用制御信号ｇ１３に基づいて回路ｃ１〜ｃｎを切り替えることで、整合回路１４０自らのインピーダンスを変化させ、パワーアンプ１５０の入力インピーダンスの整合を行う。
【００２１】
整合回路１６０も、整合回路１４０と同様、インピーダンスの異なるｎ個の回路を具備する。そして、整合回路１６０も、制御部１１０からの整合用制御信号ｇ１３に基づいて回路を切り替えることで、整合回路１６０自らのインピーダンスを変化させ、パワーアンプ１５０の出力インピーダンスの整合を行う。なお、各回路のインピーダンスは、整合回路１４０と整合回路１６０とで異なっていてもよい。
【００２２】
記憶部１２０は、パワーアンプ１５０の利得およびＴＸＡＧＣアンプ１３１の設定とポイントとを対応付けた情報であるポイント対応情報を記憶する。
図４は、記憶部１２０が記憶するポイント対応情報の例を示す説明図である。ポイント対応情報は、ＴＸＡＧＣアンプ１３１の設定およびパワーアンプ１５０の利得とポイントとの対応関係を示す。
【００２３】
ここでいうポイントは、パワーアンプ１５０の、ある利得での出力レベルの範囲内における、ある出力レベルの位置を示す情報である。例えば、図２において、Ｐｏｉｎｔ＿Ｌ１は、パワーアンプ１５０の利得低での、線Ｌ１１の示す出力レベルの範囲内における、出力レベル下端付近の位置を示す。また、Ｐｏｉｎｔ＿Ｌ３は、パワーアンプ１５０の利得低での、線Ｌ１１の示す出力レベルの範囲内における、出力レベル上端付近の位置を示す。また、Ｐｏｉｎｔ＿Ｌ２は、パワーアンプ１５０の利得低での、線Ｌ１１の示す出力レベルの範囲内における、出力レベル上端付近や下端付近以外の位置を示す。同様に、Ｐｏｉｎｔ＿Ｍ１、Ｐｏｉｎｔ＿Ｍ３、Ｐｏｉｎｔ＿Ｍ２は、パワーアンプ１５０の利得中での、線Ｌ１２の示す出力レベルの範囲内における、それぞれ、出力レベル下端付近の位置、上端付近の位置、上端付近や下端付近以外の位置を示す。また、Ｐｏｉｎｔ＿Ｈ１、Ｐｏｉｎｔ＿Ｈ３、Ｐｏｉｎｔ＿Ｈ２は、パワーアンプ１５０の利得高での、線Ｌ１３の示す出力レベルの範囲内における、それぞれ、出力レベル下端付近の位置、上端付近の位置、上端付近や下端付近以外の位置を示す。
【００２４】
図４に示す「ＬＯＷ」、「ＭＩＤ」および「ＨＩＧＨ」は、パワーアンプ１５０の利得を示し、数値１０〜７０は、ＴＸＡＧＣアンプ１３１に対する設定値を示す。また、「Ｐｏｉｎｔ＿＊１」、「Ｐｏｉｎｔ＿＊２」、「Ｐｏｉｎｔ＿＊３」は、ＴＸＡＧＣアンプ１３１の利得の大中小の分類をパワーアンプ１５０の利得毎に示す。
【００２５】
ここで、ＴＸＡＧＣアンプ１３１に対する設定値は、値が大きいほど大きい利得を示している。例えば、パワーアンプ１５０の利得が「ＬＯＷ」の場合、設定値「１０」が最も小さい利得を示し、設定値「５０」が最も大きい利得を示している。
これらの設定値のうち、利得の最も小さい設定値「１０」が「Ｐｏｉｎｔ＿＊１」に分類されている。また、利得の最も大きい設定値「５０」が「Ｐｏｉｎｔ＿＊３」に分類されている。また、他の設定値「２０」〜「４０」が「Ｐｏｉｎｔ＿＊２」に分類されている。
【００２６】
同様に、パワーアンプ１５０の利得が「ＭＩＤ」の場合、利得の最も小さい設定値「２０」が「Ｐｏｉｎｔ＿＊１」に分類されている。また、利得の最も大きい設定値「６０」が「Ｐｏｉｎｔ＿＊３」に分類されている。また、他の設定値「３０」〜「５０」が「Ｐｏｉｎｔ＿＊２」に分類されている。また、パワーアンプ１５０の利得が「ＨＩＧＨ」の場合、利得の最も小さい設定値「３０」が「Ｐｏｉｎｔ＿＊１」に分類されている。また、利得の最も大きい設定値「７０」が「Ｐｏｉｎｔ＿＊３」に分類されている。また、他の設定値「４０」〜「６０」が「Ｐｏｉｎｔ＿＊２」に分類されている。
【００２７】
この「Ｐｏｉｎｔ＿＊１」、「Ｐｏｉｎｔ＿＊２」、「Ｐｏｉｎｔ＿＊３」の分類と、パワーアンプ１５０の利得との組み合わせにて、ポイントが定まる。例えば、「Ｐｏｉｎｔ＿＊１」、かつ、パワーアンプ１５０の利得「ＬＯＷ」（「Ｌ」）の場合、ポイント「Ｐｏｉｎｔ＿Ｌ１」に定まる。また、「Ｐｏｉｎｔ＿＊３」、かつ、パワーアンプ１５０の利得「ＭＩＤ」（「Ｍ」）の場合、ポイント「Ｐｏｉｎｔ＿Ｍ３」に定まる。
【００２８】
ここで、ポイント同士の関係は、図２に示すようになっている。特に、パワーアンプ１５０の利得低におけるＴＸＡＧＣアンプ１３１の利得の設定最大に対応するＰｏｉｎｔ＿Ｌ３と、パワーアンプ１５０の利得中におけるＴＸＡＧＣアンプ１３１の利得の設定最小に対応するＰｏｉｎｔ＿Ｍ１とは、送信出力レベルにおいて近接している。Ｐｏｉｎｔ＿Ｌ３におけるパワーアンプ１５０のインピーダンスと、Ｐｏｉｎｔ＿Ｍ１におけるパワーアンプ１５０のインピーダンスとの差を低減させることで、送信出力レベルに対するインピーダンスの差の影響を低減させることができる。かかるインピーダンスの差の影響（従って、パワーアンプ１５０の効率の差の影響）を低減させることで、図２に示すような、電力制御信号と送信出力レベルとの連続性を得易くなる。
同様に、Ｐｏｉｎｔ＿Ｍ３におけるパワーアンプ１５０のインピーダンスと、Ｐｏｉｎｔ＿Ｈ１におけるパワーアンプ１５０のインピーダンスとの差を低減させることで、電力制御信号と送信出力レベルとの連続性を得易くなる。
【００２９】
そこで、整合回路１４０および１６０は、制御部１１０の制御に従って、Ｐｏｉｎｔ＿Ｌ３とＰｏｉｎｔ＿Ｍ１とでのパワーアンプ１５０のインピーダンスの差や、Ｐｏｉｎｔ＿Ｍ３とＰｏｉｎｔ＿Ｈ１とでのパワーアンプ１５０のインピーダンスの差を低減させるインピーダンス整合を行う。
【００３０】
図５は、整合回路１４０が行うインピーダンス整合の例を示すスミスチャートである。同図において、点Ｐ１１１は、整合回路１４０がインピーダンス整合を行わない場合の、Ｐｏｉｎｔ＿Ｌ３におけるパワーアンプ１５０の入力インピーダンスを示す。点Ｐ１１２は、整合回路１４０がインピーダンス整合を行う場合の、Ｐｏｉｎｔ＿Ｌ３におけるパワーアンプ１５０の入力インピーダンスを示す。
【００３１】
また、点Ｐ１２１は、整合回路１４０がインピーダンス整合を行わない場合の、Ｐｏｉｎｔ＿Ｍ１におけるパワーアンプ１５０の入力インピーダンスを示す。点Ｐ１２２は、整合回路１４０がインピーダンス整合を行う場合の、Ｐｏｉｎｔ＿Ｍ１におけるパワーアンプ１５０の入力インピーダンスを示す。整合回路１４０は、Ｐｏｉｎｔ＿Ｌ３とＰｏｉｎｔ＿Ｍ１とのいずれにおいても、パワーアンプ１５０の入力インピーダンス値を所定の値（図５の例では５０オーム（Ω））に近付けるインピーダンス整合を行って、インピーダンスの差を低減させている。
【００３２】
同様に、整合回路１４０は、Ｐｏｉｎｔ＿Ｍ３とＰｏｉｎｔ＿Ｈ１とのいずれにおいても、パワーアンプ１５０の入力インピーダンス値を所定の値に近付けるインピーダンス整合を行って、インピーダンスの差を低減させる。なお、Ｐｏｉｎｔ＿Ｌ３およびＰｏｉｎｔ＿Ｍ１での所定の値と、Ｐｏｉｎｔ＿Ｍ３およびＰｏｉｎｔ＿Ｈ１での所定の値とは、同じ値であってもよいし、異なる値であってもよい。
整合回路１６０も、Ｐｏｉｎｔ＿Ｌ３やＰｏｉｎｔ＿Ｍ１、および、Ｐｏｉｎｔ＿Ｍ３やＰｏｉｎｔ＿Ｈ１において、パワーアンプ１５０の出力インピーダンス値を所定の値に近付けるインピーダンス整合を行って、インピーダンスの差を低減させる。
【００３３】
図６は、記憶部１２０が記憶する対応回路情報の例を示す説明図である。対応回路情報では、ポイントと回路識別情報とが対応付けられている。ここで、回路識別情報として、図６に示す通番に限らず、整合定数など回路を識別可能な様々な情報を用いることができる。
整合回路１４０は、整合用制御信号ｇ１３にて回路識別情報を取得すると、回路Ｃ１〜Ｃｎ（図３）のうち、当該回路識別情報の示す回路を選択する（すなわち、当該回路にパスを切り替える）。
ここで、整合回路１４０は、回路識別情報「１」を取得すると、インピーダンス整合を行わない回路Ｃ１を選択する。
【００３４】
整合回路１４０と同様、整合回路１６０も、整合用制御信号ｇ１３にて回路識別情報を取得すると、整合回路１６０の具備するｎ個の回路のうち、当該回路識別情報の示す回路を選択する（すなわち、当該回路にパスを切り替える）。
また、整合回路１６０は、回路識別情報「１」を取得すると、インピーダンス整合を行わない回路を選択する。
【００３５】
制御部１１０は、無線装置１００の各部を制御する。特に、制御部１１０は、パワーアンプ１５０の利得とＴＸＡＧＣアンプ１３１の設定とに基づいて、整合回路１４０および１６０のインピーダンスを制御する。
これにより、制御部１１０は、パワーアンプ１５０の利得毎に限らずＴＸＡＧＣアンプ１３１からの信号レベルに応じて（従って、無線装置１００の送信出力レベルに応じて）より細やかな制御を行うことができる。具体的には、パワーアンプ１５０が利得を切り替える出力レベル付近か否かで、制御部１１０がインピーダンス整合の処理を切り替えることで、パワーアンプ１５０の利得切替に際してのインピーダンスの変動を低減させ、かつ、インピーダンス整合における消費電力を低減させることができる。また、パワーアンプ１５０への入力レベルに応じてパワーアンプ１５０のインピーダンスが変化する場合に、より高精度にインピーダンス整合を行うことができる。
【００３６】
また、制御部１１０は、パワーアンプ１５０が利得を切り替える出力レベルから所定レベル以上離れた場合に、インピーダンス整合を停止するよう整合回路１４０および１６０を制御する。
具体的には、パワーアンプ１５０が利得を切り替えるポイントである、図２のＰｏｉｎｔ＿Ｌ３や、Ｐｏｉｎｔ＿Ｍ１や、Ｐｏｉｎｔ＿Ｍ３や、Ｐｏｉｎｔ＿Ｈ１において、制御部１１０は、整合回路１４０および１６０にインピーダンス整合を行わせる。これにより、パワーアンプ１５０の利得切替に際してのインピーダンスの変動を低減させることができる。
一方、パワーアンプ１５０が利得を切り替える出力レベルから所定レベル以上離れたポイントである、Ｐｏｉｎｔ＿Ｌ１や、Ｐｏｉｎｔ＿Ｌ２や、Ｐｏｉｎｔ＿Ｍ２や、Ｐｏｉｎｔ＿Ｈ２や、Ｐｏｉｎｔ＿Ｈ３において、制御部１１０は、整合回路１４０および１６０のインピーダンス整合を停止させる。これにより、インピーダンス整合における消費電力（例えば、整合回路１４０や１６０の具備するキャパシタやインダクタにおける消費電力）を低減させることができる。
【００３７】
また、制御部１１０は、パワーアンプ１５０の利得が変更されると、整合回路１４０および整合回路１６０のインピーダンスの制御を再度行う。
これにより、制御部１１０は、パワーアンプ１５０の利得が変更された場合にも利得変更後の状態に応じて適切にインピーダンス整合を行わせ得る。例えば、Ｐｏｉｎｔ＿Ｌ３など利得切替のポイントにおいて送信出力レベルが引き上げられてＰｏｉｎｔ＿Ｍ２に遷移した場合に、制御部１１０は、利得変更後のパワーアンプ１５０の利得中に応じて、整合回路１４０および１６０にインピーダンス整合を行わせることができる。
【００３８】
また、制御部１１０は、記憶部１２０の記憶するポイント対応情報に基づいて、整合回路１４０および１６０のインピーダンスを制御する。
これにより、制御部１１０は、パワーアンプ１５０が利得を切り替えるポイントを容易に検出することができる。
【００３９】
なお、制御部１１０を、１つのインピーダンス制御装置として構成するようにしてもよい。あるいは、無線装置１００の具備するＣＰＵ（Central Processing Unit、中央処理装置）が、無線装置１００の具備する記憶デバイスからプログラムを読み出して実行することで制御部１１０を実現するようにしてもよい。
【００４０】
次に、図７を参照して無線装置１００の動作について説明する。
図７は、無線装置１００がインピーダンス整合を行う処理の手順を示すフローチャートである。無線装置１００は、送信出力を開始するタイミング毎に、同図の処理を開始する。
図７の処理において、まず、送信部１３０が、デジタルの送信信号をデジタル変調し、搬送波周波数に変換し、さらに、制御部１１０からのＴＸＡＧＣ用制御信号ｇ１１に従ってＴＸＡＧＣアンプ１３１にて増幅し、整合回路１４０へ出力する（ステップＳ１０１）。
【００４１】
また、制御部１１０は、パワーアンプ１５０の利得とＴＸＡＧＣアンプ１３１の設定に応じたデータを記憶部１２０から読み出す（ステップＳ１０２）。具体的には、制御部１１０は、パワーアンプ１５０へ出力した利得用制御信号ｇ１２と、ＴＸＡＧＣアンプ１３１へ出力したＴＸＡＧＣ用制御信号ｇ１１とに応じたポイントを、ポイント対応情報から読み出す。
【００４２】
そして、制御部１１０は、得られたポイントに応じた整合定数を対応回路情報から読み出し、読み出した整合定数を整合用制御信号ｇ１３として整合回路１４０と１６０とに出力する（ステップＳ１０３）。
整合回路１４０および１６０は、制御部１１０からの整合用制御信号ｇ１３に基づいて内部のパス（使用する回路）を切り替えて、インピーダンスを変更する（ステップＳ１０４）。
【００４３】
次に、制御部１１０は、パワーアンプ１５０の利得が変更されていないか判定する（ステップＳ１０５）。利得が変更されていないと判定した場合（ステップＳ１０５：ＹＥＳ）、同図の処理を終了する。
一方、利得が変更されていると判定したい場合（ステップＳ１０５：ＮＯ）、ステップＳ１０２へ戻る。
【００４４】
以上のように、制御部１１０は、パワーアンプ１５０の利得とＴＸＡＧＣアンプ１３１の設定とに基づいて、整合回路１４０および１６０のインピーダンスを制御する。
これにより、制御部１１０は、パワーアンプ１５０の利得毎に限らずＴＸＡＧＣアンプ１３１からの信号レベルに応じてより細やかな制御を行うことができる。特に、制御部１１０は、パワーアンプ１５０の利得切替に際してのインピーダンスの変動を低減させ、かつ、インピーダンス整合における消費電力を低減させることができる。
【００４５】
また、制御部１１０は、パワーアンプ１５０が利得を切り替える出力レベルから所定レベル以上離れた場合に、インピーダンス整合を停止するよう整合回路１４０および１６０を制御する。パワーアンプ１５０が利得を切り替える出力レベル付近のポイントにおいて、制御部１１０が、整合回路１４０および１６０にインピーダンス整合を行わせることで、パワーアンプ１５０の利得切替に際してのインピーダンスの変動を低減させることができる。また、パワーアンプ１５０が利得を切り替える出力レベルから所定レベル以上離れたポイントにおいて、制御部１１０が、整合回路１４０および１６０のインピーダンス整合を停止させることで、インピーダンス整合における消費電力を低減させることができる。
【００４６】
また、制御部１１０は、パワーアンプ１５０の利得が変更されると、整合回路１４０および整合回路１６０のインピーダンスの制御を再度行う。
これにより、制御部１１０は、パワーアンプ１５０の利得が変更された場合にも利得変更後の状態に応じて適切にインピーダンス整合を行わせ得る。
【００４７】
また、記憶部１２０は、パワーアンプ１５０の利得およびＴＸＡＧＣアンプ１３１の設定とポイントとを対応付けた情報であるポイント対応情報を記憶する。そして、制御部１１０は、記憶部１２０の記憶するポイント対応情報に基づいて、整合回路１４０および１６０のインピーダンスを制御する。
これにより、制御部１１０は、パワーアンプ１５０が利得を切り替えるポイントを容易に検出することができる。
【００４８】
次に、図８を参照して、本実施形態における本発明の最小構成について説明する。
図８は、本実施形態の無線装置（図１）における本発明の最小構成を示す概略構成図である。図８では、図１の各部のうち、制御部１１０と、ＴＸＡＧＣアンプ１３１と、パワーアンプ１５０とが示されている。また、整合回路３４０は、整合回路１４０と１６０とのいずれか一方または両方に相当する。
【００４９】
かかる構成において、制御部１１０は、パワーアンプ１５０の利得とＴＸＡＧＣアンプ１３１の設定とに基づいて、整合回路３４０のインピーダンスを制御する。
これにより、図１の構成の場合と同様、制御部１１０は、パワーアンプ１５０の利得毎に限らずＴＸＡＧＣアンプ１３１からの信号レベルに応じてより細やかな制御を行うことができる。特に、制御部１１０は、パワーアンプ１５０の利得切替に際してのインピーダンスの変動を低減させ、かつ、インピーダンス整合における消費電力を低減させることができる。
【００５０】
なお、制御部１１０の機能の全部または一部を実現するためのプログラムをコンピュータ読み取り可能な記録媒体に記録して、この記録媒体に記録されたプログラムをコンピュータシステムに読み込ませ、実行することで各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５１】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００５２】
１００  無線装置
１１０  制御部
１２０  記憶部
１３０  送信部
１３１  ＴＸＡＧＣアンプ
１４０  整合回路
１５０  パワーアンプ
１６０  整合回路
【図１】
2013258476.tif 000003
【図２】
2013258476.tif 000004
【図３】
2013258476.tif 000005
【図４】
2013258476.tif 000006
【図５】
2013258476.tif 000007
【図６】
2013258476.tif 000008
【図７】
2013258476.tif 000009
【図８】
2013258476.tif 000010